(57)【要約】【課題】おむつの前身頃と後身頃とを固定するために用いられ、基材からフック材が剥離し難く、且つ、基材の先端部分の折れ曲がりが防止された基材の先端部分とフック材との係合が有効に防止された止着テープを提供する。【解決手段】本発明の止着テープ１０は、おむつの前身頃と後身頃とを固定するために用いられ、基材４８と基材４８の表面に付設されたフック材４４とを備え、フック材４４が、基材先端側４８ａの端部４４ａ、及び基材根元側４８ｂの端部４４ｂに、フック材４４の一方の側縁４４ｘから他方の側縁４４ｙにかけて、フック材４４の表面側から基材４８側に向けて押圧された基材先端側凹部６０と基材根元側凹部６１とがそれぞれ形成されており、少なくとも基材先端側凹部６０は、フック材４４の基材先端側４８ａの端部４４ａから、フック材４４を付設した基材４８の表面にはみ出すように形成されている。【選択図】図３
2010029532.tif 000002
【特許請求の範囲】
【請求項１】
おむつの前身頃と後身頃とを固定するために用いられ、
基材と前記基材の表面に付設されたメカニカルファスナーのフック材とを備え、
前記フック材は、基材先端側の端部及び基材根元側の端部に、前記フック材の一方の側縁から他方の側縁にかけて、前記フック材の表面側から前記基材側に向けて押圧された基材先端側凹部と基材根元側凹部とがそれぞれ形成されており、
少なくとも前記基材先端側凹部は、前記フック材と前記基材とに跨るように、前記フック材の前記基材先端側の端部から前記フック材の外側領域に至って形成されている止着テープ。
【請求項２】
前記基材先端側凹部及び前記基材根元側凹部は、前記押圧により前記フック材の止着力を喪失したものである請求項１に記載の止着テープ。
【請求項３】
前記基材先端側凹部及び前記基材根元側凹部は、加圧のみ、ヒートシール、又は超音波溶着によって形成されたものである請求項１又は２に記載の止着テープ。
【請求項４】
前記基材先端側凹部は、押圧深さの深い深凹部と、前記深凹部よりも押圧深さが浅い浅凹部とから構成されている請求項１〜３のいずれか一項に記載の止着テープ。
【請求項５】
前記基材根元側凹部は、前記フック材と前記基材とに跨るように、前記フック材の前記基材根元側の端部から前記フック材の外側領域に至って形成されている請求項１〜４のいずれか一項に記載の止着テープ。
【請求項６】
前記基材先端側凹部は、前記基材先端側凹部が形成された領域における、前記基材先端側から前記基材根元側までの距離Ｌ１が、前記基材の先端から前記基材先端側凹部が形成された領域までの距離Ｌ２よりも長くなるように形成されている請求項１〜５のいずれか一項に記載の止着テープ。
【請求項７】
長尺基材シートの一方の面に、前記長尺基材シートの長手方向に沿って帯状の長尺フック材を載置接合して長尺シート積層体を得るシート積層工程と、
得られた前記長尺シート積層体の前記長尺フック材のそれぞれの側縁部を、前記長尺フック材の表面側から前記長尺基材シート側に向けて所定の幅で押圧して凹部を形成する凹部形成工程と、
前記凹部を形成した前記長尺シート積層体を、所定の幅で切り離すことにより複数の止着テープを得る止着テープ切離工程と、を備え、
前記凹部形成工程において、前記長尺フック材の少なくとも一方の側縁部に形成する凹部を、前記長尺フック材と前記長尺基材シートとに跨るように、前記長尺フック材の前記一方の側縁部から前記長尺フック材の外側領域に至って形成する止着テープの製造方法。
【請求項８】
前記凹部形成工程において、前記長尺フック材のそれぞれの側縁部を、加圧のみ、ヒートシール、又は超音波溶着して前記凹部を形成する請求項７に記載の止着テープの製造方法。
【請求項９】
前記凹部形成工程において、前記長尺フック材の他方の側縁部に形成する凹部を、前記長尺フック材と前記長尺基材シートとに跨るように、前記長尺フック材の前記他方の側縁部から前記長尺フック材の外側領域に至って形成する請求項７又は８に記載の止着テープの製造方法。
【請求項１０】
前記止着テープ切離工程において、前記凹部を形成した前記長尺シート積層体を、切断の軌跡が前記長尺シート積層体の長手方向に沿ってＳ字カーブを描くように切断して２枚の止着テープ中間体を得、
得られた前記各止着テープ中間体の前記Ｓ字カーブ状に形成された側縁の谷部と直線状に形成された側縁との間を切り離すことによって、複数の前記止着テープを得る請求項７〜９のいずれか一項に記載の止着テープの製造方法。
【請求項１１】
吸収体と、前記吸収体の上面を被覆するように配置され、少なくとも一部が液透過性材料からなるトップシートと、前記吸収体の下面を被覆するように配置され、液不透過性材料からなるバックシートとを備えるとともに、
前身頃、股下部及び後身頃の各部から構成されており、
前記後身頃の左右の各側縁から延出するように配置され、前記前身頃と前記後身頃とを固定するための止着テープを更に備えたテープ型おむつであって、
前記止着テープが、請求項１〜６のいずれか一項に記載の止着テープであるテープ型おむつ。
【発明の詳細な説明】
【技術分野】
【０００１】
本発明は、止着テープ及びその製造方法、並びにテープ型おむつに関する。更に詳しくは、おむつの前身頃と後身頃とを固定するために用いられ、基材からフック材が剥離し難く、且つ、基材の先端部分の折れ曲りが防止されて基材の先端部分とフック材との係合が有効に防止された止着テープ及びその製造方法、並びにこのような止着テープを備えたテープ型おむつに関する。
【背景技術】
【０００２】
一般に、テープ型おむつは、例えば、図１４に示すテープ型おむつ１５０のように、吸収体２２と、吸収体２２の上面を被覆するように配置され、少なくとも一部が液透過性材料からなるトップシート１８と、吸収体２２の下面を被覆するように配置され、液不透過性材料からなるバックシート２０とを備えるとともに、前身頃２、股下部４及び後身頃６の各部から構成されており、後身頃６の左右の各側縁６ａ，６ｂから延出するように配置され、前身頃２と後身頃６とを固定するための止着テープ１４０を更に備えた使い捨ておむつである（例えば、特許文献１及び２参照）。
【０００３】
このようなテープ型おむつ１５０によれば、着用者の排泄物はトップシート１８の液透過性の部分（図中ではセンターシート１８ａ）を透過して吸収体２２に吸収されるとともに、通常、液不透過性の材料で構成されるバックシート２０によって外部への漏洩が防止され、排泄物をおむつ内部に保持することができる。また、止着テープ１４０によっておむつの前身頃２と後身頃６とを相互に固定することで、着用者に容易に装着させることができるという利点をも有するものである。
【０００４】
ところで、従来、テープ型おむつのファスニングシステムとしては、粘着剤の粘着力により固定を行う粘着ファスナーが汎用されていたが、近年では、凸部材（フック材）と凹部材（ループ材）の機械的結合により固定を行うメカニカルファスナー（面状ファスナーとも称される）への移行が進行しつつある。
【０００５】
このような止着テープは、図１５に示すように、上記したメカニカルファスナーのフック材１４４を、基材１４８の表面に付設させることによって形成されている。フック材の付設方法については、例えば、フック材の裏面に接着剤を塗布して接合する方法、又は、基材として、熱可塑性の樹脂フィルムで表面を被覆した基材を用い、上記した接着剤と併用して、フック材の端部を一定の幅でヒートシールして基材の表面に接合する方法が用いられていた。図１５においては、フック材１４４のそれぞれの端部１４４ａを、フック材１４４の表面側から基材１４８側に向けて帯状に加熱押圧することによってヒートシールした例を示している。
【０００６】
【特許文献１】特開２００５−２７９００５号公報
【特許文献２】特開２００５−３１９３１９号公報
【発明の開示】
【発明が解決しようとする課題】
【０００７】
しかしながら、特許文献１の止着テープは、着色されたサイドパネルから識別するための識別部をエンボス加工によって形成したものであるが、識別部のみをエンボス加工するため、フック材の接合強度が低く、基材からフック材が剥離し易いという問題があった。
【０００８】
また、例えば、特許文献２の止着テープは、フック材の端部のみを均一な深さで押圧して基材に圧着させたものであるが、止着テープを使用する際には、フック材の端部に比較的大きな応力が掛かるため、上記特許文献１の止着テープと同様に、基材からフック材が剥離し易いという問題があった。また、フック材の剥離を防止するために、例えば、フック材の端部の押圧部分の幅を広く設計すると、フック材の係合に使用される面積が減少してしまうため、止着テープの係合力が著しく低下してしまうという問題もあった。
【０００９】
また、このような止着テープは、止着テープの基材として布材を用いた場合に、図１６に示すように、メカニカルファスナーのフック材１４４が止着テープ１４０の基材１４８と係合してしまう場合があった。このような場合、おむつの着用者ないし介護者は、基材１４８から一旦フック材１４４を引き剥がすという煩瑣な操作を強いられることになるし、仮に、フック材１４４が止着テープ１４０の基材１４８と係合した状態のまま使用すると、フック材１４４の係合に使用される面積が減少してしまうため、止着テープ１４０の係合力が低下してしまうという問題があった。
【００１０】
本発明は、このような従来技術の課題を解決するためになされたものであり、おむつの前身頃と後身頃とを固定するために用いられ、基材からフック材が剥離し難く、且つ、基材の先端部分の折れ曲りが防止されて基材の先端部分とフック材との係合が有効に防止された止着テープ及びその製造方法、並びにこのような止着テープを備えたテープ型おむつを提供するものである。
【課題を解決するための手段】
【００１１】
本発明者は、前記のような従来技術の課題を解決するために鋭意検討した結果、フック材の基材先端側端部と基材根元側端部とのそれぞれに、フック材の表面側から基材側に向けて押圧された凹部を形成し、少なくとも基材先端側の凹部を、フック材の基材先端側の端部から基材の表面にはみ出すように、即ち、フック材と基材とに跨って形成することによって、前記課題が解決されることに想到し、本発明を完成させた。具体的には、本発明により、以下の止着テープ及びその製造方法、並びにテープ型おむつが提供される。
【００１２】
［１］  おむつの前身頃と後身頃とを固定するために用いられ、基材と前記基材の表面に付設されたメカニカルファスナーのフック材とを備え、前記フック材は、基材先端側の端部及び基材根元側の端部に、前記フック材の一方の側縁から他方の側縁にかけて、前記フック材の表面側から前記基材側に向けて押圧された基材先端側凹部と基材根元側凹部とがそれぞれ形成されており、少なくとも前記基材先端側凹部は、前記フック材と前記基材とに跨るように、前記フック材の前記基材先端側の端部から前記フック材の外側領域に至って形成されている止着テープ。
【００１３】
［２］  前記基材先端側凹部及び前記基材根元側凹部は、前記押圧により前記フック材の止着力を喪失したものである前記［１］に記載の止着テープ。
【００１４】
［３］  前記基材先端側凹部及び前記基材根元側凹部は、加圧のみ、ヒートシール、又は超音波溶着によって形成されたものである前記［１］又は［２］に記載の止着テープ。
【００１５】
［４］  前記基材先端側凹部は、押圧深さの深い深凹部と、前記深凹部よりも押圧深さが浅い浅凹部とから構成されている前記［１］〜［３］のいずれかに記載の止着テープ。
【００１６】
［５］  前記基材根元側凹部は、前記フック材と前記基材とに跨るように、前記フック材の前記基材根元側の端部から前記フック材の外側領域に至って形成されている前記［１］〜［４］のいずれかに記載の止着テープ。
【００１７】
［６］  前記基材先端側凹部は、前記基材先端側凹部が形成された領域における、前記基材先端側から前記基材根元側までの距離Ｌ１が、前記基材の先端から前記基材先端側凹部が形成された領域までの距離Ｌ２よりも長くなるように形成されている前記［１］〜［５］のいずれか一項に記載の止着テープ。
【００１８】
［７］  長尺基材シートの一方の面に、前記長尺基材シートの長手方向に沿って帯状の長尺フック材を載置接合して長尺シート積層体を得るシート積層工程と、得られた前記長尺シート積層体の前記長尺フック材のそれぞれの側縁部を、前記長尺フック材の表面側から前記長尺基材シート側に向けて所定の幅で押圧して凹部を形成する凹部形成工程と、前記凹部を形成した前記長尺シート積層体を、所定の幅で切り離すことにより複数の止着テープを得る止着テープ切離工程と、を備え、前記凹部形成工程において、前記長尺フック材の少なくとも一方の側縁部に形成する凹部を、前記長尺フック材と前記長尺基材シートとに跨るように、前記長尺フック材の前記一方の側縁部から前記長尺フック材の外側領域に至って形成する止着テープの製造方法。
【００１９】
［８］  前記凹部形成工程において、前記長尺フック材のそれぞれの側縁部を、加圧のみ、ヒートシール、又は超音波溶着して前記凹部を形成する前記［７］に記載の止着テープの製造方法。
【００２０】
［９］  前記凹部形成工程において、前記長尺フック材の他方の側縁部に形成する凹部を、前記長尺フック材と前記長尺基材シートとに跨るように、前記長尺フック材の前記他方の側縁部から前記長尺フック材の外側領域に至って形成する前記［７］又は［８］に記載の止着テープの製造方法。
【００２１】
［１０］  前記止着テープ切離工程において、前記凹部を形成した前記長尺シート積層体を、切断の軌跡が前記長尺シート積層体の長手方向に沿ってＳ字カーブを描くように切断して２枚の止着テープ中間体を得、得られた前記各止着テープ中間体の前記Ｓ字カーブ状に形成された側縁の谷部と直線状に形成された側縁との間を切り離すことによって、複数の前記止着テープを得る前記［７］〜［９］のいずれかに記載の止着テープの製造方法。
【００２２】
［１１］  吸収体と、前記吸収体の上面を被覆するように配置され、少なくとも一部が液透過性材料からなるトップシートと、前記吸収体の下面を被覆するように配置され、液不透過性材料からなるバックシートとを備えるとともに、前身頃、股下部及び後身頃の各部から構成されており、前記後身頃の左右の各側縁から延出するように配置され、前記前身頃と前記後身頃とを固定するための止着テープを更に備えたテープ型おむつであって、前記止着テープが、前記［１］〜［６］のいずれかに記載の止着テープであるテープ型おむつ。
【発明の効果】
【００２３】
本発明の止着テープは、おむつの前身頃と後身頃とを固定するために用いられる止着テープであり、基材からフック材が剥離し難く、且つ、基材の先端部分の折れ曲りが防止されて基材の先端部分とフック材との係合が有効に防止された止着テープである。また、仮に、基材の先端部分がフック材に係合してしまった場合であっても、フック材から基材の先端部分を容易に引き剥がすことができる。
【００２４】
また、本発明の止着テープの製造方法は、上述した本発明の止着テープを簡便に且つ低コストに製造することができる。
【００２５】
更に、本発明のテープ型おむつは、上記した本発明の止着テープを備えたものであり、基材からフック材が剥離し難く、且つ、基材の先端部分の折れ曲りが防止されて基材の先端部分とフック材との係合が有効に防止されているため、フック材に係合された基材を引き剥がすという煩瑣な操作を強いられることなく、簡単且つ容易に使用することができる。
【発明を実施するための最良の形態】
【００２６】
以下、本発明の止着テープ及びその製造方法、並びにテープ型おむつを実施するための最良の形態について、具体的に説明する。但し、本発明はその発明特定事項を備える止着テープ及びその製造方法、並びにテープ型おむつを広く包含するものであり、以下の実施形態に限定されるものではない。
【００２７】
なお、本明細書において「テープ型おむつ」とは、図１に示すテープ型おむつ１のように、吸収体２２と、少なくとも一部が液透過性材料からなるトップシート１８と、液不透過性材料からなるバックシート２０とを備えるとともに、前身頃２、股下部４及び後身頃６の各部から構成されており、後身頃６の左右の各側縁６ａ，６ｂから延出するように配置され、後身頃６を前身頃２に対して固定するための止着テープ１０を更に備えた使い捨ておむつを意味するものとする。
【００２８】
また、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００２９】
［１］止着テープ：
まず、本発明の止着テープの一の実施形態について説明する。本発明の止着テープは、図１〜図４に示される止着テープ１０のように、おむつの前身頃２と後身頃６とを固定するために用いられ、基材４８と、この基材４８の表面に付設されたメカニカルファスナーのフック材４４とを備え、このフック材４４は、基材４８の先端側４８ａ（以下、「基材先端側４８ａ」ということがある）の端部４４ａ、及び基材４８の根元側４８ｂ（以下、「基材根元側４８ｂ」ということがある）の端部４４ｂに、フック材４４の一方の側縁４４ｘから他方の側縁４４ｙにかけて、フック材４４の表面側から基材４８側に向けて押圧された基材先端側凹部６０と基材根元側凹部６１とがそれぞれ形成されている。即ち、フック材４４の基材先端側４８ａの端部４４ａに基材先端側凹部６０が形成され、フック材４４の基材根元側４８ｂの端部４４ｂに基材根元側凹部６１が形成されている。
【００３０】
そして、本発明の止着テープ１０においては、少なくとも基材先端側凹部６０は、フック材４４の基材先端側４８ａの端部４４ａから、フック材４４を付設した基材４８の表面にはみ出すように形成されている。即ち、基材先端側凹部６０は、フック材４４の基材先端側４８ａの端部４４ａと、フック材４４を付設した基材４８とに跨るように、フック材４４の基材先端側４８ａの端部４４ａからフック材４４の外側領域に至って形成されている。
【００３１】
なお、本発明の止着テープ１０においては、少なくとも基材先端側凹部６０が、フック材４４の基材先端側４８ａの端部４４ａとフック材４４を付設した基材４８とに跨るように、フック材４４の基材先端側４８ａの端部４４ａからフック材４４の外側領域に至って形成されているため、この基材先端側凹部６０は、フック材４４の厚みよりも、凹部の深さが深くなるように形成されている。
【００３２】
このように構成することによって、基材４８に対してフック材４４が強固に接合され、基材４８からフック材４４が剥離し難くなる。また、基材先端側凹部６０が、フック材４４の基材先端側４８ａの端部４４ａから、基材４８の表面を含む外方の領域（外側領域）に至って形成されることによって、基材４８の先端部分の折れ曲りが防止されて基材４８の先端部分とフック材４４との係合が有効に防止される。なお、仮に、基材４８の先端部分が折れ曲って基材４８の先端部分がフック材４４に係合してしまった場合であっても、フック材４４から基材４８の先端部分を容易に引き剥がすことが可能である。
【００３３】
また、本発明の止着テープにおいては、上記基材先端側凹部が基材側にはみ出して形成されるため、フック材の接合強度を確保しつつ、フック材の係合に使用される面積の減少を抑制することができ、止着テープの係合力の低下を軽減することが可能となる。
【００３４】
ここで、図１は、本発明の止着テープを用いたテープ型おむつの一の実施形態を示す一部切り欠き断面図であり、テープ型おむつを展開し、トップシート側から見た状態を示す図である。図２は、本発明の止着テープを用いたテープ型おむつの一の実施形態を示す拡大図であり、図１に示すテープ型おむつの止着テープ部分を拡大して示す図である。図３は、図２示す止着テープのフック材が付設された部位を更に拡大した拡大図である。図４は、図３に示す止着テープをＡ−Ａ’線に沿って切断した断面を示す概略断面図である。
【００３５】
上記した基材先端側凹部及び基材根元側凹部は、フック材の表面側が圧縮されて形成されたものであれば、例えば、フック材と基材とを圧力をかけて単に圧着させたもの（即ち、加圧のみで形成されたもの）であってもよいし、圧力とともに熱を加えてフック材と基材とを融着させたものであってもよい。例えば、上記フック材は、接着剤等によって基材に接合され、更にフック材の両端部を押圧して上記基材先端側凹部及び基材根元側凹部が形成されたものであってもよいし、また、接着剤等によってフック材と基材とが接合又は仮接合されるとともに、フック材の両端部が更にヒートシールや超音波溶着によって基材先端側凹部及び基材根元側凹部の形成とともに再度接合されたものであってもよい。
【００３６】
なお、本発明の止着テープにおいては、図２及び図３に示すように、基材根元側凹部６１についても、フック材４４の基材根元側４８ｂの端部４４ｂから、フック材４４を付設した基材４８の表面にはみ出すように形成されていることが好ましい。即ち、基材根元側凹部６１は、フック材４４の基材根元側４８ｂの端部４４ｂと、フック材４４を付設した基材４８とに跨るように、フック材４４の基材根元側４８ｂからフック材４４の外側領域に至って形成されていることが好ましい。このように構成することによって、基材根元側４８ｂの端部４４ｂからのフック材４４の剥離を有効に防止することができる。
【００３７】
また、本発明の止着テープは、長尺基材シートの一方の面に、その長尺基材シートの長手方向に沿って帯状の長尺フック材を載置接合し、その長尺基材シートを、例えば、長手方向に沿ってＳ字カーブを描くように切断して２枚の止着テープ中間体を得、得られた各止着テープ中間体を個々の幅に切断することによって連続的に製造することができる。このため、基材先端側凹部と基材根元側凹部とを対称的な形状とすることにより、止着テープの連続製造が可能となり、生産性の向上に資する。
【００３８】
上記基材先端側凹部及び基材根元側凹部は、例えば、対向配置された一対のエンボスロール間に、基材とフック材を挟み込み、フック材の表面側から基材側に向けて押圧することによって形成することができる。この際、少なくとも基材先端側凹部を形成するエンボスロールについては、基材先端側凹部がフック材と基材とに跨ってフック材の基材先端側の端部からフック材の外側領域に至って形成されるような位置に配置し、フック材と、フック材の基材先端側の端部より外側の基材の一部とを押圧して、上記基材先端側凹部を形成する。
【００３９】
また、フック材を基材に接合するための接着剤としては、例えば、従来公知のホットメルト接着剤等を挙げることができる。
【００４０】
本発明の止着テープ１０は、図２〜図４に示すように、基材先端側凹部６０及び基材根元側凹部６１のそれぞれが、凹部の形成時における押圧によって、フック材４４の止着力をそれぞれ喪失したものであることが好ましい。
【００４１】
このように構成することによって、止着テープ１０の基材４８の先端部分が、フック材４４の表面側に折れ曲がった場合に、基材４８の先端部分とフック材４４とがより係合し難くなる。また、仮に、止着テープ１０の先端部分が内側に向けて折れ曲がってフック材４４に係合してしまった場合であっても、止着テープ１０の先端部分を摘み易くして、係合した止着テープ１０の先端部分をフック材４４から簡単に引き剥がすことができる。
【００４２】
このような基材先端側凹部６０及び基材根元側凹部６１（以下、これらを単に「凹部」ということがある）は、メカニカルファスナーのフック材が基材側に向けて押圧されるとともに、このフック材を構成する複数の突起が押圧時に塑性変形することによって形成されたものを挙げることができる。
【００４３】
また、図２〜図４に示す止着テープ１０においては、フック材４４の一方の側縁４４ｘから他方の側縁４４ｙにかけて、それぞれのフック材４４の端部４４ａ，４４ｂが帯状に一定の幅且つ一定の押圧深さで押圧されて、基材先端側凹部６０及び基材根元側凹部６１が形成された場合の例を示しているが、例えば、図５及び図６に示すように、基材先端側４８ａの端部４４ａ及び基材根元側４８ｂの端部４４ｂのそれぞれが、フック材４４の一方の側縁４４ｘから他方の側縁４４ｙにかけて、所定のパターンを有するように繰り返し押圧されて基材先端側凹部６０及び基材根元側凹部６１が形成されていてもよい。即ち、図５及び図６に示す止着テープ１０ａにおいては、フック材４４の基材先端側４８ａ及び基材根元側４８ｂと、それぞれに対応する基材４８の表面とに、斜め縞状の凹部の繰り返しによって、基材先端側凹部６０及び基材根元側凹部６１が形成された場合の例を示している。
【００４４】
このように、基材先端側凹部６０及び基材根元側凹部６１は、フック材４４の一方の側縁４４ｘから他方の側縁４４ｙにかけて、フック材４４の端部４４ａ，４４ｂの少なくとも一部が押圧されて形成されていればよい。例えば、基材先端側凹部６０と基材根元側凹部６１とは、上記パターンの向きが逆向きになるように形成されたものであってもよい（所謂フィシュボーンタイプ）。なお、上記したように、基材先端側凹部６０及び基材根元側凹部６１が、所定のパターンを有するように繰り返し押圧されて形成されたものである場合における、その繰り返しパターンについては、図５に示すような、斜め縞状の繰り返しパターンに限定されることはなく、例えば、縦縞状、横縞状、十字状、Ｖ字状等の種々の形状であってもよい。
【００４５】
ここで、図５は、本発明の止着テープの他の実施形態における、フック材が付設された部位を拡大した拡大図であり、図６は、図５に示す止着テープをＢ−Ｂ’線に沿って切断した断面を示す概略断面図である。図５及び図６に示す止着テープ１０ａにおいて、図３に示した止着テープ１０の各要素と共通する要素については、図３と同一の符号を付して説明を省略する。
【００４６】
また、本発明の止着テープにおいては、例えば、基材先端側凹部が、押圧深さの深い深凹部と、前記深凹部よりも押圧深さが浅い浅凹部とから構成されていてもよい。このように、基材先端側凹部が、押圧深さの異なる凹部の繰り返しによって構成された凹部であってもよい。
【００４７】
このように構成することによって、基材とフック材とがより剥離し難くなる。また、基材とフック材との接合部分に反りや波打ちが生じ難くなるため、おむつの前身頃と後身頃とを固定するために用いた場合に、おむつの装着感を向上させることができる。例えば、ヒートシールや超音波溶着によって基材にフック材を接合した場合には、フック材と基材との熱収縮率の差によって生じる反りや波打ちは、押圧深さが浅く、フック材と基材との接合時における自由度の高い浅凹部によって緩和され、反りや波打ち、しわ等の発生が有効に抑制される。
【００４８】
例えば、図７及び図８に示す止着テープ１０ｂは、基材先端側凹部６０が、押圧深さの深い深凹部６０ａと、深凹部６０ａよりも押圧深さが浅い浅凹部６０ｂとから構成された場合の例を示している。図７及び図８においては、フック材４４の基材先端側４８ａ及び基材根元側４８ｂと、それぞれに対応する基材４８の表面とに、斜め縞状の深凹部６０ａと浅凹部６０ｂとが、フック材４４の一方の側縁４４ｘから他方の側縁４４ｙにかけて、所定のパターン（即ち、一定の繰り返し間隔）で形成されている。
【００４９】
このように、基材先端側凹部６０は、異なる押圧深さの複数の凹部から構成されていてもよい。なお、図６及び図７においては、深凹部６０ａと浅凹部６０ｂとのそれぞれが、フック材４４の基材先端側４８ａの端部４４ａと、フック材４４を付設した基材４８とに跨るように、フック材４４の基材先端側４８ａの端部４４ａからフック材４４の外側領域に至って形成されているが、例えば、図示は省略するが、深凹部が、フック材の基材先端側の端部からフック材の外側領域に至って形成され、且つ、浅凹部が、フック材の基材先端側の端部のみに形成されていてもよい。即ち、例えば、浅凹部が、フック材の基材先端側の端縁で途切れている場合や、浅凹部の押圧深さがフック材の厚さよりも浅く、基材の表面まで凹部が形成されない場合等であっても、深凹部がフック材の基材先端側の端部からフック材の外側領域に至って形成されていれば、上述した、基材からフック材が剥離し難く、且つ、基材の先端部分の折れ曲りが防止されて基材の先端部分とフック材との係合が有効に防止されるという本発明の効果を発現させることができる。
【００５０】
ここで、図７は、本発明の止着テープの他の実施形態における、フック材が付設された部位を拡大した拡大図であり、図８は、図７に示す止着テープをＣ−Ｃ’線に沿って切断した断面を示す概略断面図である。図７及び図８に示す止着テープ１０ｂにおいて、図３に示した止着テープ１０の各要素と共通する要素については、図３と同一の符号を付して説明を省略する。
【００５１】
なお、本発明の止着テープにおいては、図７及び図８に示すように、基材根元側凹部６１についても、上記した基材先端側凹部６０と同様に、押圧深さの深い深凹部６１ａと、深凹部６１ａよりも押圧深さが浅い浅凹部６１ｂとから構成されていてもよい。
【００５２】
上記した深凹部と浅凹部とから構成された凹部は、例えば、フック材の表面側を押圧するロールとして、深凹部と浅凹部との配列パターンに対応した凸部が押圧面に形成されたパターンロールを用いることによって形成することができる。
【００５３】
具体的なパターンロールの構成としては、例えば、その押圧面に、深凹部の配列パターンに対応した高凸部（深凹部の反転形状）と、浅凹部の配列パターンに対応した低凸部（浅凹部の反転形状）とから構成された凸部が形成されたものを挙げることができる。このようなパターンロールを用いることによって、上記高凸部によって深凹部が形成され、低凸部によって浅凹部が形成される。
【００５４】
また、凹部の形成を超音波溶着によって行う場合には、超音波溶着用の超音波ホーンと超音波ホーンの受け台としての受けロールとのうちの一方の押圧面に、深凹部に対応した高凸部と、浅凹部に対応した低凸部とから構成された凸部が形成されたものを用いることが好ましい。なお、通常、超音波ホーンの押圧面はプレーン面とした方が好ましいため、超音波ホーンの受けロールの押圧面に上記凸部を形成することがより好ましい。このような場合には、超音波ホーンを基材の裏面側に配置し、また、超音波ホーンの受けロールをフック材の表面側に配置して超音波溶着を行う。押圧面に凸部を形成した超音波ホーンの受けロールとしては、例えば、上述したパターンロールと同様に構成されたものを好適に用いることができる。また、超音波ホーンとしては、ロール状の超音波ホーンを用いることもできるし、ロール状ではない固定式等の超音波ホーンを用いることもできる。
【００５５】
また、図３に示すように、基材先端側凹部６０は、基材先端側凹部６０が形成された領域における、基材先端側４８ａから基材根元側４８ｂまでの距離Ｌ１（即ち、図３における帯状の基材先端側凹部６０の幅）が、基材４８の先端から基材先端側凹部６０が形成された領域までの距離Ｌ２（即ち、基材４８の先端から基材先端側凹部６０の端部までの距離）よりも長くなるように形成されていることが好ましい。このように構成することによって、基材の先端部分とフック材との係合がより有効に防止される。
【００５６】
従来の止着テープにおいては、図１６に示すように、メカニカルファスナーのフック材１４４が止着テープ１４０の基材１４８と係合してしまう場合があり、このような場合、おむつの着用者ないし介護者は、基材１４８から一旦フック材１４４を引き剥がすという煩瑣な操作を強いられることになるし、仮に、フック材１４４が止着テープ１４０の基材１４８と係合した状態のまま使用すると、フック材１４４の係合に使用される面積が減少してしまうため、止着テープ１４０の係合力が低下してしまうという問題があった。
【００５７】
上記したように、基材４８の先端から基材先端側凹部６０が形成された領域までの距離Ｌ２よりも、基材先端側凹部６０が形成された領域における、基材先端側４８ａから基材根元側４８ｂまでの距離Ｌ１が長くなるように、基材先端側凹部６０が形成されることにより、基材４８の先端がフック材４４側に折り返されたとしても、基材先端側凹部６０によって、基材４８の先端部分とフック材４４との係合が有効に防止され、上記煩雑な操作を強いられることや、止着テープ１０の係合力が低下してしまうという問題を生じることがない。
【００５８】
また、フック材の表面のみに凹部を形成し、この凹部によって、フック材と基材との係合を防止しようとすると、フック材に形成する凹部の基材先端側から基材根元側までの距離（即ち、凹部の幅）が大きくなり、凹部以外のフック材の係合に使用される面積が減少し、止着テープの係合力が著しく低下してしまう。また、おむつを構成する部材としては比較的高価なフック材において、本来の係合機能を喪失又は低下させてしまう部位を大きく取ることは、製造コストの点においても好ましくない。
【００５９】
なお、上記した、「基材先端側凹部６０が形成された領域における、基材先端側４８ａから基材根元側４８ｂまでの距離Ｌ１」の具体的な長さについては特に制限はないが、例えば、４〜１２ｍｍであることが好ましく、６〜１０ｍｍであることが更に好ましい。
【００６０】
このように構成することによって、フック材に十分な止着力を残すことができる。また、押圧をヒートシールや超音波溶着によって行う場合には、ヒートシール等による十分な接合強度を発現させることができる。
【００６１】
図４に示すように、止着テープ１０を構成する基材４８の裏面については、フック材４８表面の押圧の凹凸が出現しておらず、平面状に構成されていることが好ましい。
【００６２】
基材の裏面を平面状にする場合には、基材の裏面側を押圧するロールとして、その表面が平坦なプレーンロールを用いればよい。
【００６３】
また、本発明の止着テープにおいては、この基材の裏面に、上記フック材に止着可能なループ材（以下、「裏面側ループ材」ということがある）が付設されていてもよい。
【００６４】
この裏面側ループ材は、基材先端側凹部及び基材根元側凹部のそれぞれを形成した後に、基材の裏面側に接合されたものであることが好ましい。上記裏面側ループ材は、ホットメルト接着剤等を用いて接合することができる。
【００６５】
このように構成することによって、例えば、図９に示すように、後身頃６の左右の各側縁６ａ，６ｂに、本発明の止着テープ１０ｘ，１０ｙが２個ずつ配置されたテープ型おむつ１とした場合に、各側縁６ａ，６ｂにおける一方の止着テープ１０ｘをフロントパッチ１２に止着し、他方の止着テープ１０ｙを、フロントパッチ１２に止着した一方の止着テープ１０ｘの裏面の裏面側ループ材に対して止着させることもできる。
【００６６】
このような止着テープは、着用者の体型、具体的には、ウエスト周り、脚周りの寸法に合わせてテープ位置、締め付け具合を調節できるという点で優れている。
【００６７】
ここで、図９に示すテープ型おむつ１は、後身頃６の左右の各側縁６ａ，６ｂに、本発明の止着テープ１０が２個ずつ配置されたものである（止着テープ１０ｘ，１０ｙ）。
【００６８】
例えば、基材の裏面に、又は基材の裏面に裏面側ループ材を付設した場合には裏面側ループ材の表面に、凹凸が出現していると、一の止着テープの裏面に他の止着テープを止着させた場合に、上記凹凸によって十分な止着力が得られず、他の止着テープが外れ易くなってしまうことがある。
【００６９】
また、本発明の止着テープにおいては、フック材の基材先端側の端部及び基材根元側の端部に形成された凹部（基材先端側凹部及び基材根元側凹部）とは別に、フック材の中央部分の一部に、他の凹部（以下、「中央凹部」ということがある）が形成されていてもよい。
【００７０】
このような中央凹部が形成された止着テープとしては、例えば、図１０に示すような、フック材４４の中央部分の一部が、フック材４４の一方の側縁４４ｘから他方の側縁４４ｙにかけて、所定の間隔でドット状に押圧された中央凹部６３ａが形成された止着テープ１０ｃや、図１１に示すように、フック材４４の中央部分の一部が、フック材４４の一方の側縁４４ｘから他方の側縁４４ｙにかけて、所定の幅で押圧された中央凹部６３ｂが形成された止着テープ１０ｄ等を挙げることができる。
【００７１】
ここで、図１０及び図１１は、本発明の止着テープの更に他の実施形態における、フック材が付設された部位を拡大した拡大図である。図１０及び図１１に示す止着テープ１０ｃ，１０ｄにおいて、図３に示した止着テープ１０の各要素と共通する要素については、図３と同一の符号を付して説明を省略する。
【００７２】
上記中央凹部を形成することによって、フック材の中央部分の浮き、反り、波打ち等を有効に防止することができる。
【００７３】
なお、この中央凹部の形状については特に制限はないが、例えば、図１０に示すような、フック材４４の一方の側縁４４ｘから他方の側縁４４ｙにかけて、所定の間隔でドット状に二列、千鳥状に押圧された中央凹部６３ａを好適例として挙げることができる。このように構成することによって、フック材４４の中央部分の止着力を大幅に低下させることなく、上述した中央凹部６３ａによる効果を効率的に発現させることができる。
【００７４】
この中央凹部の押圧深さについては特に制限はないが、中央凹部は、中央凹部によって、フック材の中央部分を基材と圧着させることができる程度の押圧力によって押圧されたものであることが好ましい。具体的には、基材先端側凹部の押圧深さと同程度の押圧深さであることが更に好ましい。
【００７５】
「フック材」とは、メカニカルファスナー（面状ファスナーとも称される）の凸部材であり、凹部材であるループ材との機械的結合により固定を行うことができるものである。このフック材は基材の表面に付設される。「フック材」としては、例えば、表面に多数の突起（鉤状、きのこ状、錨状等）が形成されたものが用いられる。
【００７６】
一方、「ループ材」としては、表面にループ状の繊維が配置されたもの等が用いられることが多い。このループ材の表面にフック材を重ね合わせ、フック材の多数の突起をループ材の表面に係合させることにより、両部材を剥離可能な状態に、且つ、強固に固着させることができる。
【００７７】
例えば、図１に示すテープ型おむつ１は、止着テープ１０の基材４８にメカニカルファスナーのフック材４４が付設されている。一方、前身頃２には、メカニカルファスナーのループ材５２からなるフロントパッチ１２が配置されており、フック材４４を固定することが可能なように構成されている。
【００７８】
このような構成によって、おむつの後身頃６を前身頃２に対して固定することができ、おむつを着用者に装着させることが可能となる。図９は、図１に示すテープ型おむつ１の使用状態を示す図であり、止着テープ１０を用いて、テープ型おむつ１を着用者に装着させた状態を示すものである。
【００７９】
なお、このようなフック材の素材としては、例えば、ポリオレフィン（ポリエチレン、ポリプロピレン等）、ポリエステル、脂肪族ポリアミド（所謂ナイロン）、その他の熱可塑性樹脂からなる合成繊維を用いることができる。特に、ポリエチレンやポリプロピレンを好適に用いることができる。このような素材は、凹部の形成時に、例えば、加熱されたパターンロールを用いることによって、凹部の形成と、ヒートシールによる基材への接合とを同時に行うことが可能となる。
【００８０】
「基材」は、フック材４４を付設し、且つ止着テープ１０を後身頃６の左右の各側縁６ａ，６ｂに固定することによって、止着テープ１０の本体として機能するものである。
【００８１】
この基材の素材としては、スパンボンド、ＳＭＳ（スパンボンド／メルトブロー／スパンボンド）、ＳＭＭＳ（スパンボンド／メルトブロー／メルトブロー／スパンボンド）、カードエンボス、レジンボンド等の各種不織布からなるシート材を用いることができる。強度の面を考慮すると、スパンボンド不織布からなるシート材を用いることが好ましい。
【００８２】
不織布の構成材料としては、ポリオレフィン（ポリエチレン、ポリプロピレン等）、ポリエステル、脂肪族ポリアミド（所謂ナイロン）、その他の熱可塑性樹脂からなる合成繊維を挙げることができる。この場合、合成繊維は単繊維であってもよいし、芯鞘構造等を有する複合繊維であってもよい。一般に、単繊維を使用する場合は、ポリオレフィンが多く用いられるが、強度の面を考慮するとポリエステルを用いることも好ましい。
【００８３】
また、基材の素材として、複数の不織布やフィルムを積層した積層体を用いることもできる。フィルムの積層体を用いる場合には、フック材を配置する面と反対側の面に、フック材と係合し易い不織布又はループ材（裏面側ループ材）を配置すると、図９に示すように、一の止着テープ１０ｘの裏面側に、他の止着テープ１０ｙを止着させることができる。
【００８４】
［２］止着テープの製造方法：
次に、本発明の止着テープの製造方法の一の実施形態について説明する。本発明の止着テープの製造方法は、長尺基材シートの一方の面に、長尺基材シートの長手方向に沿って帯状の長尺フック材を載置接合して長尺シート積層体を得るシート積層工程と、得られた長尺シート積層体の前記フック材のそれぞれの側縁部を、長尺フック材の表面側から長尺基材シート側に向けて所定の幅で押圧して凹部を形成する凹部形成工程と、凹部を形成した長尺シート積層体を、所定の幅で切り離すことにより複数の止着テープを得る止着テープ切離工程と、を備え、凹部形成工程において、長尺フック材の少なくとも一方の側縁部に形成する凹部を、長尺フック材と長尺基材シートとに跨るように、長尺フック材の一方の側縁部から長尺フック材の外側領域に至って形成するものである。
【００８５】
このように構成することによって、これまでに説明した本発明の止着テープを簡便且つ低コストに製造することができる。
【００８６】
以下、本発明の止着テープの製造方法について、各工程毎に更に具体的に説明する。ここで、図１２Ａ〜図１２Ｃは、本発明の止着テープの製造方法の一の実施形態における各工程を示す平面図である。なお、図１２Ａは、シート積層工程を示し、図１２Ｂは、凹部形成工程を示し、図１２Ｃは、止着テープ切離工程を示す。
【００８７】
［２−１］シート積層工程：
本発明の止着テープの製造方法においては、まず、図１２Ａに示すように、長尺基材シート７８を用意し、この長尺基材シート７８の一方の面に、長尺基材シート７８の長手方向に沿って帯状の長尺フック材７４を載置接合して長尺シート積層体７１を得る（シート積層工程）。
【００８８】
長尺シート積層体７１を形成する場合には、長尺基材シート７８と長尺フック材７４とを予め接着剤９２によって接合、又は仮接合することが好ましい。図１２Ａに示すシート積層工程においては、長尺フック材７４の裏面に接着剤９２を塗布し、接着剤９２が塗布された裏面を長尺基材シート７８に重ね合わせて長尺シート積層体７１を形成している。なお、長尺フック材７４としては、接着剤９２を裏面に予め塗布したものを用いるようにしてもよい。
【００８９】
［２−２］凹部形成工程：
次に、図１２Ｂに示すように、得られた長尺シート積層体７１の長尺フック材７４のそれぞれの側縁部７４ａ，７４ｂを、長尺フック材７４の表面側から長尺基材シート７８側に向けて所定の幅で押圧して凹部８０を形成する（凹部形成工程）。
【００９０】
この凹部形成工程においては、長尺フック材７４の少なくとも一方の側縁部７４ａに形成する凹部８０ａを、長尺フック材７４の一方の側縁部７４ａから、長尺フック材７４が載置された長尺基材シート７８の表面にはみ出すように形成する。すなわち、凹部８０ａを長尺フック材７４と長尺基材シート７８とに跨るように、長尺フック材７４の側縁部７４ａから長尺フック材７４の外側領域に至って形成する。
【００９１】
上記した凹部８０は、例えば、対向配置された一対のエンボスロール間に、長尺シート積層体７１を挟み込み、長尺フック材７４の表面側から長尺基材シート７８側に向けて押圧することによって形成することができる。
【００９２】
なお、凹部形成工程においては、長尺基材シート７８の裏面側を押圧するロールとして、長尺基材シート７８との接触面が平坦なプレーンロールを用いることが好ましい。
【００９３】
凹部形成工程において長尺基材シート７８と長尺フック材７４との接合を行う場合には、押圧用のロールを加熱させて、長尺基材シート７８と長尺フック材７４とをヒートシールする。
【００９４】
一方、長尺基材シート７８と長尺フック材７４との接合を既に行っている場合には、押圧用のロールを必ずしも加熱させる必要はなく、単に、押圧用のロールによって押圧するのみであってもよい。
【００９５】
また、この凹部形成工程においては、長尺フック材７４の他方の側縁部７４ｂに形成する凹部８０ｂを、長尺フック材７４の他方の側縁部７４ｂから、長尺フック材７４が載置された長尺基材シート７８の表面にはみ出すように形成してもよい。すなわち、凹部８０ｂを長尺フック材７４と長尺基材シート７８とに跨るように、長尺フック材７４の側縁部７４ｂから長尺フック材７４の外側領域に至って形成してもよい。
【００９６】
［２−３］止着テープ切離工程：
次に、図１２Ｃに示すように、凹部８０ａ，８０ｂを形成した長尺シート積層体７１を、所定の幅で切り離すことにより複数の止着テープ７０を得る（止着テープ切離工程）。上記のような方法によれば、多数の止着テープを簡便に効率よく製造することが可能となる。
【００９７】
この止着テープ切離工程は、例えば、図１２Ｃに示すように、長尺シート積層体７１を、切断の軌跡が長尺シート積層体７１の長手方向に沿ってＳ字カーブを描くように切断して２枚の止着テープ中間体７２を得、得られた各止着テープ中間体７２のＳ字カーブ状に形成された側縁の谷部と直線状に形成された側縁との間を切り離すことによって、複数の止着テープ１０を得る方法を挙げることができる。
【００９８】
なお、このシートの切断方法としては、上記切断の軌跡が、長尺フック材７４を幅方向に跨ぐようにＳ字状に切断する方法を挙げることができる。このように構成することによって、各止着テープ中間体７２のＳ字カーブ状に形成された山部側にフック材４４がそれぞれ配置されることとなる。
【００９９】
長尺シート積層体７１の切断は連続的な形状に切断する限り特に制限はないが、通常は、図１２Ｃに示すように、その軌跡が連続的なＳ字状、即ち、周期的な波型となるように切断することが好ましい。これにより、止着テープを一時に多数得ることが可能となる。
【０１００】
このようにして各止着テープ中間体を得た場合には、得られた各止着テープ中間体のＳ字カーブ状に形成された側縁の谷部と直線状に形成された側縁との間を切り離すことによって、複数の止着テープを得る。上記のような方法によれば、多数の止着テープを簡便に効率よく製造することが可能となる。
【０１０１】
具体的には、図１３に示すように、各止着テープ中間体７２のＳ字カーブ状に形成された側縁の谷部１０２と直線状に形成された側縁１０４との間を切り離すことによって、複数の止着テープ７０を得る。図示の例では、各止着テープ中間体７２のＳ字カーブ状に形成された側縁の谷部１０２と直線状に形成された側縁１０４との間を、側縁１０４と直交する方向に切り離すことによって、複数の止着テープ７０を得ている。
【０１０２】
このように止着テープ中間体を切り離すことによって、複数の止着テープを得ることができる。但し、この「切り離し」に先立って、フック材及び止着テープの仮止めを行っておくことが好ましい。自由端を有する止着テープが遊動している状態であると、連続的な生産を行う際に、その自由端が製造設備に引っかかる等の不具合の原因となるおそれがあるからである。
【０１０３】
例えば、止着テープ中間体を、フック材が付設された部位と直線状に形成された側縁との間においてフック材を内側とするように折り返し、フック材を長尺基材シートの表面に仮止めをした後、Ｓ字カーブ状に形成された側縁の谷部と直線状に形成された側縁との間を切り離すことが好ましい。Ｓ字カーブ状に形成された側縁の谷部と直線状に形成された側縁との間を切り離す前に仮止めをすることにより、複数の止着テープについての折り返し作業を一時に且つ連続的に行うことができ、「切り離し」の後に前記折り返し作業を行った場合と比較して、安定的且つ効率的に、前記折り返し作業を行うことができる。
【０１０４】
図１３に示す製造方法は、止着テープ中間体７２を、フック材が付設された部位と直線状に形成された側縁１０４との間においてフック材８４を内側とするように折り返し、フック材８４を長尺基材シート７８の表面に仮止めをした後（仮止め部８６）、Ｓ字カーブ状に形成された側縁の谷部１０２と直線状に形成された側縁１０４との間を切り離した例である。
【０１０５】
［３］テープ型おむつ：
次に、本発明のテープ型おむつの一の実施形態について具体的に説明する。本発明のテープ型おむつは、その止着テープとして、既に説明した本発明の止着テープを備えるものである。より具体的には、吸収体と、吸収体の上面を被覆するように配置され、少なくとも一部が液透過性材料からなるトップシートと、吸収体の下面を被覆するように配置され、液不透過性材料からなるバックシートとを備えるとともに、前身頃、股下部及び後身頃の各部から構成されており、後身頃の左右の各側縁から延出するように配置され、前身頃と後身頃とを固定するための止着テープを更に備え、その止着テープが、上記した本発明の止着テープであるテープ型おむつである。
【０１０６】
［３−１］止着テープ：
本発明のテープ型おむつは、その止着テープとして、既に説明した本発明の止着テープを備えるものであれば、他の構成について制限はない。但し、後身頃の左右の各側縁に、本発明の止着テープが２個ずつ配置されていることが好ましい。
【０１０７】
例えば、図１及び図５に示すテープ型おむつ１は、後身頃６の左右の各側縁６ａ，６ｂに、本発明の止着テープ１０が２個ずつ配置されたものである。このように、止着テープが２個ずつ配置されたテープ型おむつは、１個ずつ配置されたテープ型おむつと比較して、着用者の体型、具体的には、ウエスト周り、脚周りの寸法に合わせてテープ位置、締め付け具合を調節できるという点で優れている。
【０１０８】
本発明のテープ型おむつは、本発明の止着テープが融着によっておむつ本体に接合されたものであることが好ましい。融着によって接合することで、接着剤を用いた接着等と比較して、強固な接合を図ることができ、おむつ本体から止着テープが脱落する事態を有効に防止することができる。例えば、図１に示すテープ型おむつ１は、おむつ本体の後身頃６の側縁６ａ，６ｂ、より具体的にはサイドシート１９によって構成されるサイドフラップ８の両側縁に、超音波融着によって本発明の止着テープ１０を接合した例である。
【０１０９】
［３−２］吸収体：
吸収体は、着用者の尿を吸収し、保持するための部材である。吸収体は、着用者の尿や体液を吸収し保持する必要から、吸収性材料によって構成される。
【０１１０】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。
【０１１１】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【０１１２】
吸収体は、トップシートとバックシートの間の少なくとも一部に介装されることが好ましい。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。吸収体は、トップシートとバックシートの間の少なくとも一部に介装される。より具体的には、吸収体は少なくとも股下部に介装され、この吸収体が前身頃や後身頃にまで及んでいてもよい。
【０１１３】
吸収体は、その全体が親水性シートによって包み込まれていることが好ましい。このような構成は、吸収体からＳＡＰが漏洩することを防止し、吸収体に形状安定性を付与することができるという利点がある。
【０１１４】
吸収体の形状については特に制限はないが、従来の使い捨ておむつ、その他の吸収性物品において使用される形状、例えば、矩形状、砂時計型、ひょうたん型、Ｔ字型等を挙げることができる。図１に示すテープ型おむつ１は、吸収体２２として、砂時計型の吸収体を用いた例である。
【０１１５】
なお、吸収体には、その表面側に（例えば、吸収体とトップシートとの間に）、尿や体液等の液体を拡散させるためのシート（セカンドシート）を付帯的に配置してもよい。このセカンドシートを付設すると、着用者の姿勢等に起因して、トップシート裏面側の空間が十分に形成されないような場合でも、尿や体液等の吸収速度が低下し難く、吸収速度の低下による尿や体液等の漏れを防止することが可能となる。
【０１１６】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【０１１７】
［３−３］トップシート：
トップシートは、吸収体の上面（おむつの装着時において着用者の肌側に位置する面）を被覆するように配置されるシートである。トップシートは、その裏面側に配置された吸収体に、着用者の尿を吸収させる必要から、その少なくとも一部（全部ないし一部）が液透過性材料により構成される。通常、少なくとも吸収体の表面近傍については、着用者の尿や体液を透過させ得る液透過性の材料によって構成される。少なくとも一部が液透過性材料により構成されている限り、必ずしもトップシート全体が液透過性材料で構成されている必要はない。
【０１１８】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。不織布の種類についても特に制限はなく、エアースルー（カード熱風）、カードエンボス、スパンボンド等の各種製法によって製造された従来公知の不織布を好適に用いることができる。
【０１１９】
トップシートは単一のシート材によって構成されていてもよいが、複数のシート材によって構成されていてもよい。また、おむつの装着時において着用者の肌側に位置する面には、液透過性材料により構成されたトップシート（センターシート）が配置され、サイドフラップの部分には、更に別のシート（サイドシート）が配置されていてもよい。図１に示すテープ型おむつ１は、おむつの中央部には液透過性材料からなるトップシート１８（センターシート１８ａ）を配置し、おむつのサイドフラップ８部分には液の透過に対して抵抗性を示す通気撥水性材料からなるサイドシート１９を配置した例である。
【０１２０】
［３−４］バックシート：
バックシートは、吸収体の下面（おむつの装着時において着用者の着衣側に位置する面）を被覆するように配置されるシートである。バックシートは、着用者の尿がおむつ外部に漏洩してしまうことを防止する必要から、液不透過性材料によって構成される。
【０１２１】
その配置方法については特に制限はないが、例えば、図１に示すテープ型おむつ１のように、おむつの外形と一致するように、バックシート２０を配置する構成を採用することができる。但し、必ずしもこのような構成を採用する必要はなく、吸収体で吸収された尿の漏れを防止するという観点から、少なくとも吸収体の存在する部分に液不透過性材料からなるバックシートを配置してもよい。
【０１２２】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【０１２３】
なお、バックシートには、その外表面側にシート材（カバーシート）を貼り合わせてもよい。このカバーシートは、バックシートを補強し、バックシートの手触り（触感）を良好なものとするために用いられる。
【０１２４】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【０１２５】
［３−５］立体ギャザー：
着用者の排泄した尿の横漏れを防止するため、立体ギャザーを備えていてもよい。立体ギャザーは、着用者の排泄した尿の横漏れを防止するための部材であり、立体的に起立可能なように構成された防漏壁である。このような立体ギャザーを形成することにより、立体ギャザーが防波堤となり、おむつの脚周り開口部等からの漏れ（所謂「横漏れ」）を有効に防止することができる。
【０１２６】
立体ギャザーの構成は、従来の使い捨ておむつ、その他の吸収性物品に使用される構成を採用することができる。例えば、撥水性のシート材の一部に伸縮材（立体ギャザー伸縮材）を配置し、その立体ギャザー伸縮材によってシート材にギャザー（襞）を形成したもの等を好適に用いることができる。
【０１２７】
なお、立体ギャザーは、トップシートやバックシートとは全く別個のシート材により形成してもよいが、トップシート（例えば、センターシート）やサイドシート等を折り返すことにより形成してもよい。例えば、図１に示すテープ型おむつ１は、サイドシート１９を折り返すことにより立体ギャザー２６（２６ａ，２６ｂ）を形成した例である。但し、立体ギャザーは、サイドシート以外の部材を折り返すことにより形成してもよい。
【０１２８】
この立体ギャザーは、股下部からの漏れを防止するため、少なくとも股下部に形成されていればよいが、前身頃や後身頃に形成されていてもよい。例えば、図１に示すテープ型おむつ１は、おむつの長手方向に沿って、股下部４から前身頃２と後身頃６の双方にかけて連続的に、一対の立体ギャザー２６（２６ａ，２６ｂ）が形成された例を示すものである。なお、立体ギャザー２６（２６ａ，２６ｂ）には、その先端部に立体ギャザー伸縮材３６（３６ａ，３６ｂ）が設けられている。また、立体ギャザーは、少なくとも一対形成する必要があるが、二対以上形成してもよい。
【０１２９】
立体ギャザーはおむつの内側に向かって傾倒する内倒しギャザーであってもよいし、おむつの外側に向かって傾倒する外倒しギャザーであってもよい。また、高さ方向の一部に、曲げ部や折り返し部を形成した立体ギャザー（所謂、Ｃ折りギャザーやＺ折りギャザー等）とすることもできる。例えば、図１に示すテープ型おむつ１は、立体ギャザー２６（２６ａ，２６ｂ）を内倒しギャザーとした例である。
【０１３０】
［３−６］各種伸縮材：
テープ型おむつにおいては、脚周り伸縮材を配置し、ウエスト周り伸縮材を配置することが好ましい。
【０１３１】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。また、脚周り伸縮材を配置すると、おむつを交換する際に吸収体の両側で脚周り伸縮材が収縮するため、股下部近傍が椀状に変形し、凹部が形成される。このため、尿や体液がその凹部に溜まり、尿や体液をこぼすことなく、容易におむつの交換を行うことができる。
【０１３２】
例えば、図１に示すテープ型おむつ１は、おむつの長手方向に沿って、直線的に二本の脚周り伸縮材４０を配置してレグギャザーを形成した例である。この脚周り伸縮材４０は、糸ゴムによって構成されている。但し、脚周り伸縮材は、必ずしも直線的に配置する必要はなく、例えば、おむつの脚周り開口部のカーブに沿って曲線的に配置してもよい。
【０１３３】
脚周り伸縮材は、例えば、図１に示すテープ型おむつ１のように、立体ギャザー２６の起立線４６より外側の部分に、脚周り伸縮材４０が配置されていることが好ましい。このような構成とすると、立体ギャザーの十分な防漏効果を確保しつつ、股下部の装用感・装着感を向上させることができる。
【０１３４】
なお、図１に示すテープ型おむつ１は、脚周り伸縮材４０の形状、配置位置、配置数等を左右対称とした例を示したが、これらが左右非対称なものも本発明の範囲に含まれる。そして、図１に示すテープ型おむつ１では、脚周り伸縮材４０が片側につき二本配置された例を示したが、一本だけ配置されていてもよいし、三本以上配置されていてもよい。また、複数の脚周り伸縮材を用いる場合、その太さや伸張率等も目的に応じて適宜設定すればよく、全て同じものを用いる必要はない。
【０１３５】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【０１３６】
なお、図１に示すテープ型おむつ１は、おむつの後身頃６の端縁に沿って帯状のウエスト周り伸縮材４２を配置した例である。この帯状のウエスト周り伸縮材４２は、ウレタンフォーム等の伸縮性フォームによって構成されている。図示の例では、後身頃（背側）のみにウエスト周り伸縮材４２を配置しているが、前身頃（腹側）にウエスト周り伸縮材を配置してもよい。
【０１３７】
なお、例えば、図１に示すテープ型おむつ１のように、後身頃６の左右の各側縁６ａ，６ｂに、止着テープ１０をそれぞれ２個ずつ配置した場合には、後身頃６の端縁に沿ってウエスト周り伸縮材４２が付設されるとともに、少なくとも股下部４の両側縁に沿って脚周り伸縮材４０を付設することが好ましい。
【０１３８】
前記のような構成により、２個の止着テープ１０のうち上側に配置された止着テープ１０とウエスト周り伸縮材４２が一体となって、着用者のウエスト周りにおけるおむつのフィット性を向上させることができる。また、２個の止着テープ１０のうち下側に配置された止着テープ１０と脚周り伸縮材４０が一体となって、着用者の脚周りにおけるおむつのフィット性を向上させることができる。この効果は、上側に配置された止着テープ１０を前身頃２の端縁と略同一方向に止め付け、下側に配置された止着テープ１０を前身頃２の端縁側（おむつ上側）に向かって引き上げるように止め付けた場合に特に大きくなる。
【０１３９】
これらの伸縮材については、ギャザーの収縮の程度等を勘案した上で、構成材料、その材料の伸長率、固定時の伸長状態等を決定すればよい。
【０１４０】
伸縮材としては、従来の使い捨ておむつで使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【０１４１】
伸縮材は、十分な伸縮力を作用させるため、伸長状態で固定することが好ましい。例えば、伸縮材が天然ゴムや合成ゴムである場合には、１１０〜４００％の伸長状態で固定することが好ましく、２００〜３００％の伸長状態で固定することがより好ましい。このような範囲の伸長状態で固定することにより、十分な伸縮力を作用させることが可能となる。
【０１４２】
前記のような伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【０１４３】
［４］テープ型おむつの製造方法：
以下、本発明のテープ型おむつの製造方法を、図１に示すテープ型おむつ１を製造する場合の例で説明する。まず、バックシート２０の材料となる長尺のシート材（バックシート材）の表面に、親水性シートに包まれた吸収体２２及び脚周り伸縮材４０を載置し、更にその表面にトップシート１８の材料となる長尺のシート材（トップシート材）を載置することにより、おむつの中間体となる積層体（おむつ連続体）を得る。この際、トップシート材は、センターシート１８ａに相当するトップシート材と、サイドシート１９に相当するサイドシート材の２種類が使用される。サイドシート１９に相当するサイドシート材には折り返し部分を設けることによって、立体ギャザー２６が形成されている。
【０１４４】
前記のようにして得られたおむつ連続体は、おむつの脚周り開口部に相当する部分を円弧状に切り抜いて切除し（Ｒカット）、脚周り開口部を形成する。最後に、おむつの後身頃６の側縁６ａ，６ｂに、本発明の止着テープ１０を付設し、おむつ連続体を個々のおむつに切断することにより、テープ型おむつ１を製造する。この際、後身頃６の左右の各側縁部と止着テープ１０の末端部とはヒートシール等の融着によって接合することが好ましい。
【０１４５】
なお、上記のような方法の他、予めトップシート材に止着テープを付設しておき、バックシート材の表面に、親水性シートに包まれた吸収体及び脚周り伸縮材を載置し、更にその表面に止着テープが付設されたトップシート材を載置することにより、おむつ連続体を得てもよい。また、前記のような一連の工程は、機械的な手段によって連続的に行うことが可能である。例えば、長尺のシート材をローラーから連続的に送出する等の方法・装置を採用することにより、テープ型おむつの連続製造が可能となり、生産性の向上に資する。
【産業上の利用可能性】
【０１４６】
本発明の止着テープは、おむつの前身頃と後身頃とを固定するための止着テープとして好適に利用することができる。また、本発明のテープ型おむつは、乳幼児用、或いは介護を必要とする高齢者や障害者等の成人用のおむつとして好適に利用することができる。
【図面の簡単な説明】
【０１４７】
【図１】本発明の止着テープを用いたテープ型おむつの一の実施形態を示す一部切り欠き断面図であり、テープ型おむつを展開し、トップシート側から見た状態を示す図である。
【図２】本発明の止着テープを用いたテープ型おむつの一の実施形態を示す拡大図であり、図１に示すテープ型おむつの止着テープ部分を拡大して示す図である。
【図３】図２示す止着テープのフック材が付設された部位を更に拡大した拡大図である。
【図４】図３に示す止着テープをＡ−Ａ’線に沿って切断した断面を示す概略断面図である。
【図５】本発明の止着テープの他の実施形態における、フック材が付設された部位を拡大した拡大図である。
【図６】図５に示す止着テープをＢ−Ｂ’線に沿って切断した断面を示す概略断面図である。
【図７】本発明の止着テープの他の実施形態における、フック材が付設された部位を拡大した拡大図である。
【図８】図７に示す止着テープをＣ−Ｃ’線に沿って切断した断面を示す概略断面図である。
【図９】本発明の止着テープを用いたテープ型おむつを使用した状態を示す斜視図である。
【図１０】本発明の止着テープの更に他の実施形態における、フック材が付設された部位を拡大した拡大図である。
【図１１】本発明の止着テープの更に他の実施形態における、フック材が付設された部位を拡大した拡大図である。
【図１２Ａ】本発明の止着テープの製造方法の一の実施形態における、シート積層工程を説明する平面図である。
【図１２Ｂ】本発明の止着テープの製造方法の一の実施形態における、凹部形成工程を説明する平面図である。
【図１２Ｃ】本発明の止着テープの製造方法の一の実施形態における、止着テープ切離工程を説明する平面図である。
【図１３】本発明の止着テープの製造方法の一の実施形態における、止着テープ切離工程の他の例を説明する平面図である。
【図１４】従来のテープ型おむつを示す一部切り欠き断面図であり、従来のテープ型おむつを展開し、トップシート側から見た状態を示す図である。
【図１５】図１４示す止着テープのフック材が付設された部位を更に拡大した拡大図である。
【図１６】従来の止着テープを示す側面図である。
【符号の説明】
【０１４８】
１，１５０：テープ型おむつ、２：前身頃、４：股下部、６：後身頃、６ａ，６ｂ：側縁、８：サイドフラップ、１０，１０ａ，１０ｂ，１０ｘ，１０ｙ：止着テープ、１２：フロントパッチ、１８：トップシート、１８ａ：センターシート、１９：サイドシート、２０：バックシート、２２：吸収体、２６，２６ａ，２６ｂ：立体ギャザー、３６，３６ａ，３６ｂ：立体ギャザー伸縮材、４０：脚周り伸縮材、４２：ウエスト周り伸縮材、４４：フック材、４４ａ：端部（基材先端側の端部）、４４ｂ：端部（基材根元側の端部）、４４ｘ：一方の側縁（フック材の一方の側縁）、４４ｙ：他方の側縁（フック材の他方の側縁）、４６：起立線、４８：基材、４８ａ：基材先端側、４８ｂ：基材根元側、５２：ループ材、６０：基材先端側凹部（凹部）、６０ａ：深凹部、６０ｂ：浅凹部、６１：基材根元側凹部（凹部）、６１ａ：深凹部、６１ｂ：浅凹部、６３ａ，６３ｂ：中央凹部（凹部）、７０：止着テープ、７１：長尺シート積層体、７２：止着テープ中間体、７４：長尺フック材、７４ａ：側縁部（長尺フック材の一方の側縁部）、７４ｂ：側縁部（長尺フック材の他方の側縁部）７８：長尺基材シート、８０，８０ａ，８０ｂ：凹部、８４：フック材、８６：仮止め部、１０２：谷部、１０４：側縁、１４０：止着テープ、１４４：フック材、１４４ａ：端部（フック材の端部）、１４８：基材。
【図１】
2010029532.tif 000003
【図２】
2010029532.tif 000004
【図３】
2010029532.tif 000005
【図４】
2010029532.tif 000006
【図５】
2010029532.tif 000007
【図６】
2010029532.tif 000008
【図７】
2010029532.tif 000009
【図８】
2010029532.tif 000010
【図９】
2010029532.tif 000011
【図１０】
2010029532.tif 000012
【図１１】
2010029532.tif 000013
【図１２Ａ】
2010029532.tif 000014
【図１２Ｂ】
2010029532.tif 000015
【図１２Ｃ】
2010029532.tif 000016
【図１３】
2010029532.tif 000017
【図１４】
2010029532.tif 000018
【図１５】
2010029532.tif 000019
【図１６】
2010029532.tif 000020